(57)【要約】      （修正有）【課題】常温用タンク、ウオーターサーバー用タンクあるいは、これら兼用タンクであって、該タンクの上部タンクの底面部に装着し、下部タンクに連通する、水の落下が早いろ材のカートリッジを提供する。【解決手段】上部タンク１と下部タンクからなる常温用タンク、ウオーターサーバー用タンク、あるいは、これら兼用タンクであって、上部タンク１の底面部５に着脱自在に装着し、下部タンクに連通するろ材カートリッジ３において、該ろ材カートリッジ３の底面に下方に向かって垂下する、所定の幅寸法を有する環状のリブ４を設け空気溜りＸを設けた。【選択図】図３
0003208149.tif 000002
【実用新案登録請求の範囲】
【請求項１】
上部タンク（１）と下部タンク（２）からなる常温用タンク、ウオーターサーバー用タンク、あるいは、これら兼用タンクであって、
前記上部タンク（１）の底面部（１ａ）に着脱自在に装着し、下部タンク（２）に連通するろ材カートリッジ（３）において、
外ろ材カートリッジ（３）の底面に下方に向かって垂下する、所定の幅寸法を有する環状のリブ（４）を設け空気溜り（Ｘ）を設けた
ことを特徴とする常温用タンク、ウオーターサーバー用タンク、あるいは、これら兼用タンクのろ材ートリッジ。
【請求項２】
前記ろ材カートリッジが、上・下二段からなるろ材カートリッジである  
ことを特徴とする請求項１記載の常温用タンク、ウオーターサーバー用タンク、あるいは、これら兼用タンクのろ材ートリッジ。
【考案の詳細な説明】
【技術分野】
【０００１】
この考案は、常温用タンク、ウオーターサーバー用タンク、あるいは、これら兼用タンクのろ材カートリッジの構造に関する。  
【背景技術】
【０００２】
従来、水（以下、水道水、井戸水、ガロンボトルに充填された水等をいう。）や検査された水を用いて、銀添活性炭等や、サンゴ等のアルカリ化剤等を素材としたろ材カートリッジをくぐり抜けたミネラル水が存在することは、既に、知られている。
【０００３】
そして、ウオーターサーバーの上に、タンクを着脱可能に載置するものが公開されている。例えば、特許文献１のように。
【０００４】
さらに、本願出願人の常温用タンク、ウオーターサーバー用タンク、あるいは、これら兼用タンクのろ材カートリッジの構造として公開されている。例えば、特許文献２のように。
【先行技術文献】
【特許文献】
【０００５】
【特許文献１】特開２００７−１３６３０４号公報
【特許文献２】登録第３１６４７９４号公報
【０００６】
しかし、これらのものは、上部タンクからろ材を充填したカートリッジを通過して下部タンクへ落下する水が、スムーズに落下しないという欠点があった。
【０００７】
これは、従来、ろ材カートリッジには、合成樹脂製の小孔板が使用されており、水は、この小孔板とろ材を介して下部タンクへ落下しており、この合成樹脂製の小孔板に静電気が発生して、それが原因で、上部タンクから下部タンクへの水の落下スピードが遅いということも言われている。
【０００８】
また、下段ろ材カートリッジの底面部に設けられた小孔部から落下する水の落下スピードも遅かった。
【考案の開示】
【考案が解決しようとする課題】
【０００９】
上記課題を解決する為にこの考案は、常温用タンク、ウオーターサーバー用タンクあるいは、これら兼用タンクであって、該タンクの上部タンクの底面部に装着し、下部タンクに連通する、ろ材カートリッジの一部を改良し水の落下を良好にしたろ材のカートリッジの構造を開発・提供することにある。
【課題を解決するための手段】
【００１０】
この考案の常温用タンク、ウオーターサーバー用タンク、あるいは、これら兼用タンクのろ材ートリッジの構造は、  
上部タンクと下部タンクからなる常温用タンク、ウオーターサーバー用タンク、あるいは、これら兼用タンクであって、
該タンクの上部タンクの底面部に着脱自在に装着し、下部タンクに連通するろ材カートリッジにおいて、
該ろ材カートリッジの底面に、下方に向かって垂下する、所定の幅寸法を有する環状のリブを設け、空気溜りを形成する
ことを特徴とする。
【００１１】
さらに、
前記ろ材カートリッジが、上・下二段からなるろ材カートリッジである
ことを特徴とする。
【考案の効果】
【００１２】
この考案によると、ろ材カートリッジ（３、あるいは３Ｂ）の底面に環状のリブ（４）を設け、空気溜り（Ｘ）を形成したことにより，上部タンク（１）の水は、ろ材カートリッジ（３）でろ過され下部タンク（２）に落下する際、該空気溜り（Ｘ）により下部タンク（２）内の水がろ材カートリッジの底面を塞ぐことがなく、水の落下が妨げられることがなく、良好に落下できる等の有益なる効果を奏する。
【図面の簡単な説明】
【００１３】
【図１】この考案の一実施例を示し、（Ａ）は、平面図であり、（Ｂ）は、断面図である。
【図２】この考案の一実施例を示す正面図である。
【図３】この考案の一実施例を示す断面図である。
【図４】この考案の使用状態を示す断面図である。
【図５】この考案の他の実施例の使用状態を示す断面図である。
【考案を実施するための形態】
【００１４】
以下、この考案について詳細に説明する。尚、この考案においては、以下の記述に限定されるものではなく、この要旨を逸脱しない範囲においては適宜変更可能である。
【実施例１】
【００１５】
そこで、この考案の一実施例を図面に基づいて詳述すると、上部タンク（１）と下部タンク（２）からなる常温用タンク、ウオーターサーバー用タンク、あるいは、これら兼用タンクであって、該タンクの上部タンク（１）の底面部（１ａ）に着脱自在に装着し、下部タンク（２）に連通するろ材カートリッジ（３）において、該ろ材カートリッジ（３）の底面部（５）に、下方に向かって垂下する、所定の幅寸法を有する環状のリブ（４）を儲け、空気溜り（Ｘ）を設けたことを特徴とする常温用タンク、ウオーターサーバー用タンク、あるいは、これら兼用タンクのろ材の構造から構成されるものである。
【００１６】
なお、前記リブ（４）の幅寸法は、約、１０ｍｍ程度である。また、前記ろ材カートリッジは、単体でなく、上・下二段からなるろ材カートリッジであってもよい。（図５を参照）
【００１７】
次に図面の説明をすると、図１には、この考案のろ材カートリッジ（３）を示しており、（Ａ）はその平面図であり、（Ｂ）はその断面図である。
【００１８】
図１の（Ａ）の平面図には、ろ材カートリッジ（３）の底面部（５）には、小孔（６）を多数個設けている。また、図１の（Ｂ）に示すように底面部（５）には環状のリブ（４）を設けて空気溜り（Ｘ）を形成している。
【００１９】
そして、図２は、ろ材カートリッジ（３）の正面図であり、上部には、上部タンク（１）の底面部（１ａ）と着脱自在に装着される雄螺子が形成されており、該ろ材カートリッジ（３）の上部の開口部には、通穴（３ａ）を複数個設けたカートリッジの蓋体（３ｂ）を設けている。
【００２０】
次に、図３は、ろ材カートリッジ（３）の内部にろ材を充填した状態の一実施例を示した断面図であり、ろ材カートリッジ（３）はＯリング（Ｉ）を介して水漏れしないよう上部タンク（１）の底面部（１ａ）に螺着するものである。
【００２１】
また、ろ材カートリッジ（３）内は、一実施例としては、上部にフィルター（Ｇ）、透水性の袋内に充填された活性炭（Ｅ）を充填し、板状活性炭（Ｈ）、そして、下部には風化珊瑚粉を焼成処理し、場合によっては他の石等も混合した風化珊瑚粉（Ｆ）を設け、その下部には、ステンレッスメッシュ（Ｊ）を設けている。なお、ろ材カートリッジ（３）内のろ材には限定しない。
【００２２】
さらに、図４は、ろ材カートリッジ（３）を、常温用タンク、ウオーターサーバー用タンクあるいは、これら兼用タンクへの取り付け状態を示す断面図であり、基台（Ａ）の上部に下部タンク（２）を設け、該下部タンク（２）の上に、スペーサー（Ｃ）を介して上部タンク（１）を設け，該上部タンクには蓋（Ｂ）を被冠している。
【００２３】
また、下部タンク（２）には、底部付近にコック（Ｄ）を設け、該コックを開くことにより、ろ材カートリッジ（３）でろ過した水を使用するものである。
【００２４】
なお、図５は、この考案の他の実施例を装着した断面図であり、ろ材カートリッジ（３Ａ、３Ｂ）が上、下二段に形成したものであり、下のカートリッジ（３Ｂ）の底面には、空気溜り（Ｘ）が設けられたものである。
【産業上の利用可能性】
【００２５】
この考案の常温用タンク、ウオーターサーバー用タンク、あるいは、これら兼用タンクのろ材ートリッジの構造の技術を確立し、実施することにより、産業上利用可能性があるものである。
【符号の説明】
【００２６】
１  上部タンク
１ａ  底面部
２  下部タンク
３  ろ材カートリッジ
３Ａ  上部カートリッジ
３Ｂ  下部カートリッジ
３ａ  通穴
３ｂ  カートリッジの蓋体
４  環状のリブ
５  底面部
６  小孔
Ａ  基台
Ｂ  蓋
Ｃ  スペーサー
Ｄ  コック
Ｅ  活性炭
Ｆ  風化珊瑚粉
Ｇ  上部フィルター
Ｈ  板状活性炭
Ｉ  Ｏリング
Ｊ  ステンレスメッシュ
Ｘ  空気溜り
【図１】
0003208149.tif 000003
【図２】
0003208149.tif 000004
【図３】
0003208149.tif 000005
【図４】
0003208149.tif 000006
【図５】
0003208149.tif 000007
【手続補正書】
【提出日】平成28年10月13日(2016.10.13)
【手続補正１】
【補正対象書類名】実用新案登録請求の範囲
【補正対象項目名】全文
【補正方法】変更
【補正の内容】
【実用新案登録請求の範囲】
【請求項１】
上部タンク（１）と下部タンク（２）からなる常温用タンク、ウオーターサーバー用タンク、あるいは、これら兼用タンクであって、
前記上部タンク（１）の底面部（１ａ）に着脱自在に装着し、下部タンク（２）に連通するろ材カートリッジ（３）において、
該ろ材カートリッジ（３）の底面に下方に向かって垂下する、所定の幅寸法を有する環状のリブ（４）を設け空気溜り（Ｘ）を設けた
ことを特徴とする常温用タンク、ウオーターサーバー用タンク、あるいは、これら兼用のタンクのろ材カートリッジの構造。
【請求項２】
前記ろ材カートリッジが、上・下二段からなるろ材カートリッジである
ことを特徴とする請求項１記載の常温用タンク、ウオーターサーバー用タンク、あるいは、これら兼用タンクのろ材カートリッジの構造。
【手続補正書】
【提出日】平成28年10月14日(2016.10.14)
【手続補正１】
【補正対象書類名】明細書
【補正対象項目名】００１０
【補正方法】変更
【補正の内容】
【００１０】
この考案の常温用タンク、ウオーターサーバー用タンク、あるいは、これら兼用タンクのろ材カートリッジの構造は、上部タンクと下部タンクからなる常温用タンク、ウォーターサーバー用タンク、あるいは、これら兼用のタンクであって、
該タンクの上部タンクの底面部に着脱自在に装着し、下部タンクに連通するろ材カートリッジにおいて、
該ろ材カートリッジの底面に、下方に向かって垂下する、所定の幅寸法を有する環状のリブを設け、空気溜りを形成することを特徴とする。
【手続補正２】
【補正対象書類名】明細書
【補正対象項目名】００２５
【補正方法】変更
【補正の内容】
【００２５】
この考案の常温用タンク、ウオーターサーバー用タンク、あるいは、これら兼用タンクのろ材カートリッジの構造の技術を確立し、実施することにより、産業上利用可能性があるものである。